(57)【要約】【課題】浴槽壁面等の湯面より高い位置にある湯垢や毛髪を洗浄することができる風呂垢取り器。【解決手段】吸水口から取り入れた風呂湯を吐出する通水路の出口である吐出口を、風呂垢取り器本体が風呂湯に浮かんでいる状態において、前湯面より高い位置に設置することにより、吐出口から吐出される風呂水は浴槽壁面に向かうため、風呂湯だけでなく、浴槽壁面も洗浄できる。また、吐出口からの吐出の反動力で本体が旋回運動を行うことにより、浴槽壁面を効率的に洗浄できる。【選択図】図２
2018068415.tif 000002
【特許請求の範囲】
【請求項１】
風呂垢取り器であって、
本体と、
前記本体内に設けられ前記本体を浴槽内の湯面に浮かすための空気室と、
前記浴槽内の風呂湯を前記本体内に吸水する吸水口と、
前記本体内の風呂湯を本体外へ吐出する吐出口と、
前記吸水口と前記吐出口とを連通する通水路と、
前記通水路に着脱自在に設けられ前記通水路中の風呂湯に含まれる毛髪や湯垢などを収集するフィルタと、
前記通水路内の風呂湯を吐出口に向けて流動させる排水手段と、を備え、
前記本体が風呂湯に浮かんでいる状態において、前記吐出口が風呂湯の湯面より高い位置に配置することを特徴とする風呂垢取り器。
【請求項２】
前記吐出口から風呂湯を吐出する際の反動力で前記本体が旋回運動を行うように、前記通水路および前記吐出口を構成することを特徴とする請求項１記載の風呂垢取り器。
【請求項３】
前記本体を上部からみた際にルーローの三角形形状となるように構成したことを特徴とする請求項２記載の風呂垢取り器。
【発明の詳細な説明】
【技術分野】
【０００１】
本発明は使用後の浴槽内の風呂湯に浮かせて自在に設置し、湯面に浮遊している湯垢や毛髪などの不純物を除去する風呂垢取り器に関するものである。
【背景技術】
【０００２】
従来、浴槽内に浴槽内の風呂湯に浮かせて自在に設置できる風呂垢取り器は、風呂湯の湯面に浮遊する湯垢や毛髪を除去することを目的として構成されている（例えば、特許文献１参照）。
【０００３】
図５、図６は従来の風呂垢取り器を示したもので、以下その構成について説明する。
【０００４】
風呂垢取り器の本体部１０１は、略円筒状となった本体ケース１０２の下端に底部ケース１０３を水密に嵌合固着するとともに、本体ケース１０２の拡径された上端部に上部ケース１０４を水密に嵌合固着して、全体として中空の容器形状に構成されている。上部ケース１０４の図５中の右部には、風呂湯を吸い込むための吸水口１０５が開設されており、吸水口１０５から図５中の左方側へ向けて吸水路１０７が設けられ、吸水路１０７を通って流れ込んできた風呂湯を落とし込むための貯水室１０８が形成されている。
【０００５】
本体部１０１における上方後端部および上方前端部には、本体ケース１０２と上部ケース１０４との嵌合により構成された空気室１１３，１１４が配設されている。
【０００６】
吸水路１０７に対し比較的大きな落差に凹設された横断面円形の貯水室１０８の底部には、多数の通水孔が平面視格子縞形状に形成された通水ガイド体１１７が設置されている。吸水路１０７から貯水室１０８へ流れ込んだ風呂湯に含まれている湯垢や毛髪などを収集するためのフィルタ１１８は、貯水室１０８内に挿入して通水ガイド体１１７上に着脱自在に載置されている。
【０００７】
また、本体ケース１０２内の下方には、モータケース１２０が配設されている。モータケース１２０の内部には、駆動源のモータ１２３が固定されており、モータ１２３の出力軸には、遠心ポンプ１２４が通水ガイド体１１７に近接した配置で連結されている。
【０００８】
次に、上記風呂垢取り器の使用方法および作用について説明する。
【０００９】
風呂を使用し終えた人は、起動スイッチ（図示せず）を押圧操作してモータ１２３を駆動状態となった風呂垢取り器を湯面Ｗ上に浮かべる。
【００１０】
本体部１０１は、浴槽内の風呂湯を吸水口１０５から吸水路１０７に吸い込まれて貯水室１０８内に流れ込む。貯水室１０８内に流入した風呂湯は、モータ１２３により回転駆動されている遠心ポンプ１２４によってフィルタ１１８の濾過部材１１８ｂおよび通水ガイド体１１７を通して強制的に下方に掻き出されたのち、排水口１２７から放出される。このとき、風呂湯に含まれている湯垢や毛髪などは、フィルタ１１８の濾過部材１１８ｂに流動を阻止されて収集され、風呂湯のみが図６の排水口１２７から浴槽内の湯内に放水される。
【００１１】
上記の動作を繰り返すことにより、風呂湯に浮遊している湯垢や毛髪などを収集することができる。
【先行技術文献】
【特許文献】
【００１２】
【特許文献１】特開２００１−１７３３４号公報
【発明の概要】
【発明が解決しようとする課題】
【００１３】
しかしながら、前記従来の構成では、浴槽壁面に付着した湯垢や毛髪を除去することはできないという課題があった。
【００１４】
本発明は、前記従来の課題を解決するもので、風呂湯取り器の吐出口を湯面より高い位置に配置することにより、浴槽壁面、風呂湯を共に洗浄することを目的としている。
【課題を解決するための手段】
【００１５】
本発明は上記目的を達成するために、本発明の風呂湯取り器は、本体と、前記本体内に設けられ前記本体を浴槽内の湯面に浮かすための空気室と、浴槽内の風呂湯を本体内に吸水する吸水口と、本体内の風呂湯を本体外へ吐出する吐出口と、前記吸水口と前記吐出口とを連通する通水路と、前記通水路に着脱自在に設けられ通水路中の風呂湯に含まれる毛髪や湯垢などを収集するフィルタと、前記本体内の風呂湯を吐出口に向けて流動させる排水手段と、を備え、前記本体が風呂湯に浮かんでいる状態において、前記吐出口が風呂湯の湯面より高い位置に配置する構成としたものである。
【００１６】
上記構成により、風呂垢取り器を通過した風呂湯は浴槽壁面に降り掛けられるため、浴槽壁面に付着した毛髪や湯垢は風呂湯の湯面へと流れ落ち、風呂垢取り器によって収集されるので、浴槽壁面、風呂湯を共に洗浄することができる。
【発明の効果】
【００１７】
本発明の風呂垢取り器は、浴槽壁面、風呂湯を共に洗浄することができる。
【図面の簡単な説明】
【００１８】
【図１】本発明の実施の形態１の風呂垢取り器の側断面図
【図２】同風呂垢取り器の使用状態における側断面図
【図３】同風呂垢取り器の上面図
【図４】（ａ）同風呂垢取り器が並進運動する場合の模式図、（ｂ）同風呂垢取り器が旋回運動する場合の模試図
【図５】従来の風呂垢取り器の側断面図
【図６】従来の風呂垢取り器の側面図
【発明を実施するための形態】
【００１９】
第１の発明は、本体と、前記本体内に設けられ前記本体を浴槽内の湯面に浮かすための空気室と、浴槽内の風呂湯を前記本体内に吸水する吸水口と、前記本体内の風呂湯を本体外へ吐出する吐出口と、前記吸水口と前記吐出口とを連通する通水路と、前記通水路に着脱自在に設けられ前記通水路中の風呂湯に含まれる毛髪や湯垢などを収集するフィルタと、前記通水路内の風呂湯を吐出口に向けて流動させる排水手段と、を備え、前記本体が風呂湯に浮かんでいる状態において、前記吐出口が風呂湯の湯面より高い位置に配置することにより、浴槽壁面に付着する湯垢や毛髪等の汚れを、風呂垢取り器本体から吐出される風呂湯により洗い流すことができる。
【００２０】
第２の発明は、上記第１の発明において、前記吐出口から風呂湯を吐出する際の反動力により、前記本体が旋回運動を行うように前記吐出口を構成することにより、浴槽壁面を効率的に洗浄することができる。
【００２１】
第３の発明は、上記第２の発明において、前記本体を上部からみた際にルーローの三角形形状となるように構成することにより、前記本体の旋回軌跡が楕円形を描くため、浴槽壁面を効率的に洗浄することができる。
【００２２】
以下、本発明の実施の形態について、図面を参照しながら説明する。また、この実施の形態によって本発明が限定されるものではない。
【００２３】
（実施の形態１）
図１は本発明の実施の形態における風呂垢取り器の側断面図、図２は同風呂垢取り器の使用状態における側断面図、図３は同風呂垢取り器の上面図である。
【００２４】
（風呂垢取り器の構成）
図３に示すように、本体１の上面は、ルーローの三角形の形状で形成されており、本体１上面の略中央には、蓋体１４が着脱可能に設けられている。また、本体１の側面は、図１に示すように、上方が拡径のすり鉢形状で構成されている。
【００２５】
本体１の内部には、本体１を浴槽の湯面に浮かすための空気室２が配置されている。
【００２６】
本体１には、浴槽内の風呂湯を本体１の内部へ吸水する吸水口３が形成されている。吸水口３から吸水された風呂湯を放出する吐出口１１が、本体１が湯面に浮かんだ状態において、風呂湯の湯面よりも高い位置に形成されている。また、本体１には吸水口３と吐出口１１とを連通する通水路１０が設けられている。
【００２７】
通水路１０は、吸水口３から図２の右側へ向けて設けられる吸水路１０ａと、吸水路１０ａを通って流れ込んできた風呂湯を落とし込む貯水室１０ｂと、貯水室１０ｂの底部近傍と吐出口１１とを連通する排水路１０ｃにより構成されている。
【００２８】
貯水室１０ｂの内部には、風呂湯中の毛髪などをろ過する一次フィルタ４ａが着脱可能に載置されている。一次フィルタ４ａは、円形枠状のフレームに、網目形状のろ過部材（図示せず）が張った状態に設けられている。一次フィルタ４ａの上部には、取手部１５が一体に設けられている。また、貯水室１０ｂ内の一次フィルタ４ａよりも下流側には、風呂湯中の油脂や湯垢などをろ過する二次フィルタ４ｂが着脱可能に載置されている。二次フィルタ４ｂは、綿状のろ過部材で構成されている。
【００２９】
貯水室１０ｂの下方には、モータケース（図示せず）が配設されており、モータケースの内部には、駆動源のモータ７が固定されている。モータ７の出力軸には、回転ファン６が貯水室１０ｂ内の一次フィルタ４ａ、および二次フィルタ４ｂよりも下流側に設けられている。回転ファン６は、シロッコファンやターボファンなどの遠心ファンを用いている。
【００３０】
モータケース、モータ７、回転ファン６により排水手段が構成されている。
【００３１】
本体１内部には、モータ７を駆動するバッテリー８が設けられるとともに、モータ７やバッテリー８などを制御する制御装置９が設けられている。
【００３２】
図３に示すように、本体１の上面にはＯＮ／ＯＦＦスイッチ１３が設けられている。
【００３３】
（動作、作用）
上記のように構成した風呂垢取り器について、動作、作用を説明する。
【００３４】
使用者は入浴後、浴槽内に残った風呂湯に風呂垢取り器の本体１を設置する。本体１は空気室２の浮力により、風呂湯の湯面に浮かべて設置することができる。
【００３５】
本体１が湯面に浮かべられると、風呂湯は本体１の吸水口３から吸水路１０ａ内に流入する（図２の矢印Ａ方向）。
【００３６】
本体１は、ＯＮ／ＯＦＦスイッチ１３をＯＮすることにより、運転が開始される。本体１の運転が開始すると、モータ７が駆動することにより回転ファン６が回転する。通水路１０内に給水された風呂湯は、回転ファン６の遠心力により、一次フィルタ４ａ、および二次フィルタ４ｂのろ過部材を通りながら下方に流れ、排水路１０ｃ内を通り吐出口１１から図２の矢印Ｂ方向に吐出させる。ここで、風呂湯に含まれる毛髪や湯垢などは、一次フィルタ４ａ、および二次フィルタ４ｂのろ過部材によってろ過されるので、吐出口１１からはろ過された風呂水が吐出される。
【００３７】
モータ７はバッテリー８を電力源としており、モータ７の回転は制御装置９によって制御されている。
【００３８】
また、本体１は、湯面に浮かんだ状態で風呂湯の湯面よりも高い位置に吐出口１１が形成されている。そのため、本体１内の風呂湯は、湯面よりも高い浴槽壁面に向けて吐出され、浴槽壁面に付着した湯垢や毛髪を洗い流すことができる。また、浴槽壁面から洗い流された湯垢や毛髪は、風呂湯の湯面に浮遊するため、本体１の一次フィルタ４ａ、および二次フィルタ４ｂにより濾し取ることができる。
【００３９】
上記の動作を繰り返すことにより、風呂湯に浮遊している湯垢や毛髪とともに、浴槽壁面に付着している湯垢や毛髪も収集することができるため、浴槽と風呂湯の洗浄を行うことができる。
【００４０】
図４（ａ）は同風呂垢取り器が並進運動する場合の模式図、図４（ｂ）は同風呂垢取り器が旋回運動する場合の模試図である。
【００４１】
本体１は、吐出口１１から風呂湯を吐出する際の反動により、推進力を受ける。
【００４２】
図４（ａ）のように、本体１の重心が、吐出口１１からの風呂湯の吐出直線上に位置するならば、本体１は矢印Ｃ方向へ並進運動する。
【００４３】
また、図４（ｂ）のように、本体１から吐出される風呂湯の吐出直線上に本体１の重心が位置しないよう、排水路１０ｃと吐出口１１を設計した場合には、本体１は風呂湯の吐出によって推進力と旋回力を同時に得ることができ、湯面上を矢印Ｄ方向に旋回しながら移動することができる。
【００４４】
本体１が旋回運動しながら風呂湯を吐出することにより、浴槽壁面全体を効率的に洗浄することができる。
【００４５】
ここで、風呂湯を吐出する際に本体１が受ける回転モーメント力は、本体１の重心位置から風呂湯の吐出軌跡までの距離Ｌと、本体１が風呂湯を吐出する際に受ける反動力Ｆとの積算Ｌ×Ｆとなる。そのため、本体１の重心と吐出口１１からの吐出直線間の距離Ｌが離れているほど、旋回モーメント力が大きくなるので、本体１は勢い良く旋回できる。
【００４６】
また、本体１は上部から見てルーローの三角形状で形成することにより、本体１は吐出
口１１からの風呂湯の吐出の反動力により、楕円軌跡を描くように旋回運動を行うことができる。
【００４７】
一般に浴槽は四角形または楕円形状をしているので、本体１の旋回軌跡が楕円形を描くことにより、吐出口１１は浴槽壁面に沿って旋回し、効率的に浴槽壁面を洗浄することができる。
【００４８】
（フィルタのメンテナンス）
次に、本体１の一次フィルタ４ａ、および二次フィルタ４ｂのメンテナンス方法について説明する。
【００４９】
本体１の蓋体１４を開放し、開口部１６  から手を入れ、取手部１５を摘まみ、引き抜くことにより、一次フィルタ４ａを取り出せる。また、一次フィルタの下流側に載置されている二次フィルタ４ｂも、手で摘み引き抜くことで取り出せる。一次フィルタ４ａ、および二次フィルタ４ｂのろ過部材に付着している湯垢や毛髪などを洗い流した後、再び一次フィルタ４ａ、および二次フィルタ４ｂを貯水室１０ｂ内に収納し、蓋体１２を施蓋することにより、使用可能状態とすることができる。
【００５０】
なお、吐出口１１内には、複数の異物混入防止壁部（図示せず）が設けられていてもよい。異物混入防止壁部を設けることにより、例えば子供の悪戯によって石鹸などが詰め込まれて吐出口１１が塞がれたりすることを防止できる。
【００５１】
なお、本実施の形態の本体１は、上部から見た際にルーローの三角形状となるように形成されているが、本発明はこれに限定されるものではなく、他の形状で形成してもよい。
【産業上の利用可能性】
【００５２】
以上のように、本発明にかかる風呂垢取り器は、風呂湯のみならず、浴槽壁面も洗浄することが可能となるので、風呂垢取り器等として有用である。
【符号の説明】
【００５３】
１  本体
２  空気室
３  吸水口
４ａ  一次フィルタ
４ｂ  二次フィルタ
６  回転ファン
７  モータ
８  バッテリー
９  制御装置
１０  通水路
１０ａ  吸水路
１０ｂ  貯水室
１０ｃ  排水路
１１  吐出口
１３  ＯＮ／ＯＦＦスイッチ
【図１】
2018068415.tif 000003
【図２】
2018068415.tif 000004
【図３】
2018068415.tif 000005
【図４】
2018068415.tif 000006
【図５】
2018068415.tif 000007
【図６】
2018068415.tif 000008